(57)【要約】      （修正有）【課題】試験室内全体を所要の高低温状態に短時間で精度よく設定し、また一定の高低温状態への再設定を短時間で再現性よく行う高低温試験室空調方式を提供する。【解決手段】試験室７の壁構成体７ａ・天井構成体７ｂ・床構成体７ｃを含む全構成体の少なくとも一部の室内面側を、空気調和機３からの調温空気による目標制御温度に応じて前記少なくとも一部を加熱もしくは冷却する板状の熱交換器９で構成する。【選択図】図１
2008286467.tif 000002
【特許請求の範囲】
【請求項１】
空気調和機から供試体が収容される試験室に調温空気が送り込まれて所要の高低温状態に温度制御され、前記供試体について前記所要の高低温状態の試験を行う高低温試験室空調方式において、
前記空気調和機からの調温空気による目標制御温度に応じて前記試験室の壁構成体・天井構成体・床構成体を含む全構成体の少なくとも一部を加熱もしくは冷却する板状の熱交換器を設置してなることを特徴とする高低温試験室空調方式。
【請求項２】
上記試験室の壁構成体・天井構成体・床構成体を含む全構成体の少なくとも一部の室内面側を上記板状の熱交換器で構成してなることを特徴とする請求項１記載の高低温試験室空調方式。
【発明の詳細な説明】
【技術分野】
【０００１】
本発明は、高低温試験室空調方式に関するものであり、特に、試験室内全体を所要の高低温状態に短時間で精度よく設定し得るとともに一定の高低温状態への再設定を短時間で再現性よく行うことが可能な高低温試験室空調方式に関するものである。
【背景技術】
【０００２】
従来の高低温試験室空調方式として、例えば図２に示すようなものがある。同図において、供試体としての自動車２が収容される試験室１の上方に、該試験室１に調温空気を送り込むための空気調和機３が設けられている。該空気調和機３の送出側３ａに連通する送気ダクト４の送風口が前記試験室１における一方の壁板１ａの下方側に開口され、送気ダクト４から分岐された分岐ダクト４ａの送風口が前記一方の壁板１ａの上方側に開口されている。また、試験室１における天井板１ｂの部分に吸気口が開口した還気ダクト５が前記空気調和機３の吸入側３ｂに連通されている。該還気ダクト５内には試験室１内の空気を吸入するための送風機６が設けられている。該送風機６はモータＭで駆動される。前記試験室１における床板１ｃの部分に形成された図示しない地下ピット内に前記自動車２の走行テスト用のシャーシーダイナモメータ及びそのローラ並びに各種の計器が設けられている。
【０００３】
そして、空気調和機３から目標制御温度に対応した所要温度の調温空気が送気ダクト４及び分岐ダクト４ａを介して試験室１内に送り込まれる。試験室１内の空気はモータＭで駆動される送風機６により還気ダクト５を介して空気調和機３に吸入され、該空気調和機３で調温されて再び試験室１に送りこまれる。このようにして、試験室１内が目標制御温度に対応した所要の高低温状態に温度制御される。この所要の高低温状態において、前記自動車２の駆動輪で前記ローラを回転させることにより、該自動車２について各種の走行テストが行われる。
【０００４】
また、高低温試験室空調方式に関連する従来技術として、例えば本出願人の特許出願に係る公開公報に開示されているように、次のような自走車用環境試験室が知られている。この従来技術は、試験室側の空調方式に関しては、前記図２に示したものとほぼ同様に構成されている。そして、試験室の床部に形成された地下ピット内に、自動車の走行テスト用のシャーシーダイナモメータ及びそのローラ等と共に、サブ空気調和機が設けられている。このサブ空気調和機により地下ピット内が０℃以下の温度あるいは上限以上の温度にならないよう然るべき適温に設定されて、試験室内が０℃以下の温度でも地下ピット回りの地盤は凍結することがなく、凍上弊害の発生が防止されるようになっている（例えば、特許文献１参照）。
【特許文献１】特開２００１−３２４４１９号公報（第２頁、図１）。
【発明の開示】
【発明が解決しようとする課題】
【０００５】
図２に記載の従来技術においては、試験室内が、空気調和機からの目標制御温度に対応した調温空気のみによって温度制御されている。このため、試験室内の空気に関しては容易に目標制御温度になるが、試験室内の壁、天井、床、室内機器類は目標制御温度になるのに時間がかかる。例えば、試験室内の制御温度を４０℃から４５℃に変更する場合、試験室内の空気はすぐに温度上昇して４５℃の制御温度になるが、試験室内の壁、天井、床、室内機器類が制御温度に達するのに時間がかかり、試験室内の空気、壁、天井、床、室内機器類を含む試験室内全体が４５℃の制御温度に達するのに２時間程度以上かかっていた。
【０００６】
また、試験室内の温度を、一定の高低温状態に復帰させる再設定を行う場合は、該再設定前の温度条件の影響を受けて再設定制御に時間がかかるとともに温度再現性に難があった。
【０００７】
さらに、特許文献１に記載の従来技術においても、試験室側の温度制御に関しては、なお上記と同様の問題が生じるおそれがあった。
【０００８】
そこで、試験室内全体を所要の高低温状態に短時間で精度よく設定し、また一定の高低温状態への再設定を短時間で再現性よく行うために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、空気調和機から供試体が収容される試験室に調温空気が送り込まれて所要の高低温状態に温度制御され、前記供試体について前記所要の高低温状態の試験を行う高低温試験室空調方式において、前記空気調和機からの調温空気による目標制御温度に応じて前記試験室の壁構成体・天井構成体・床構成体を含む全構成体の少なくとも一部を加熱もしくは冷却する板状の熱交換器を設置してなる高低温試験室空調方式を提供する。
【００１０】
この構成によれば、空気調和機から、試験室内の目標制御温度に対応した調温空気が該試験室に送り込まれて試験室内の空気が前記目標制御温度になる。このとき、前記調温空気による温度制御に加えて、前記目標制御温度に応じて試験室の壁構成体・天井構成体・床構成体を含む全構成体の少なくとも一部が、板状の熱交換器により温度制御される。これにより試験室内の空気、壁構成体・天井構成体・床構成体及び室内機器類を含む試験室内全体が前記目標制御温度に対応した高低温状態に短時間で設定される。
【００１１】
また、試験室内が一定の高低温状態に設定されているとき、一旦、他の高低温状態への設定変更が行われ、その後、再び前記一定の高低温状態へ復帰させる設定変更が行われる場合、前述のように、空気調和機からの調温空気による温度制御に加えて板状の熱交換器による温度制御が行われることで、再設定前の温度条件、即ち前記他の高低温状態の設定温度に殆ど左右されることなく、短時間で元の一定の高低温状態に再現性よく設定変更が行われる。
【００１２】
請求項２記載の発明は、上記試験室の壁構成体・天井構成体・床構成体を含む全構成体の少なくとも一部の室内面側を上記板状の熱交換器で構成してなる高低温試験室空調方式を提供する。
【００１３】
この構成によれば、板状の熱交換器と試験室の壁構成体・天井構成体・床構成体との間の熱抵抗が極小となって、試験室の壁構成体・天井構成体・床構成体が、板状の熱交換器により一層短時間で目標制御温度に精度よく温度制御される。
【発明の効果】
【００１４】
請求項１記載の発明は、空気調和機からの調温空気による目標制御温度に応じて試験室の壁構成体・天井構成体・床構成体を含む全構成体の少なくとも一部を加熱もしくは冷却する板状の熱交換器を設置したので、空気調和機からの調温空気による温度制御に加えて板状の熱交換器による試験室の壁構成体・天井構成体・床構成体を含む全構成体の少なくとも一部の温度制御が行われることで、試験室内の空気、壁構成体・天井構成体・床構成体及び室内機器類を含む試験室内全体を目標制御温度に対応した高低温状態に短時間で精度よく設定することができる。また、一定の高低温状態への再設定を、該再設定前の温度条件に殆ど左右されることなく、短時間で再現性よく行うことができるという利点がある。
【００１５】
請求項２記載の発明は、上記試験室の壁構成体・天井構成体・床構成体を含む全構成体の少なくとも一部を上記板状の熱交換器で構成したので、板状の熱交換器により試験室の壁構成体・天井構成体・床構成体を一層短時間で目標制御温度に精度よく温度制御することができて、試験室内の空気、壁構成体・天井構成体・床構成体及び室内機器類を含む試験室内全体を目標制御温度に対応した高低温状態に一層短時間で精度よく設定することができるという利点がある。
【発明を実施するための最良の形態】
【００１６】
試験室内全体を所要の高低温状態に短時間で精度よく設定し、また一定の高低温状態への再設定を短時間で再現性よく行うという目的を、空気調和機から供試体が収容される試験室に調温空気が送り込まれて所要の高低温状態に温度制御され、前記供試体について前記所要の高低温状態の試験を行う高低温試験室空調方式において、前記空気調和機からの調温空気による目標制御温度に応じて前記試験室の壁構成体・天井構成体・床構成体を含む全構成体の少なくとも一部を加熱もしくは冷却する板状の熱交換器を設置することにより実現した。
【実施例１】
【００１７】
以下、本発明の実施例を図面に従って詳述する。図１は高低温試験室空調方式の縦断正面図である。なお、図１において、前記図２における構成要素と同一ないし均等のものは、前記と同一符号を以って示し、重複した説明を省略する。
【００１８】
まず、本実施例に係る高低温試験室空調方式の構成を説明する。本実施例では、図１に示すように、試験室７における図の前後左右の壁構成体７ａ及び天井構成体７ｂが、コンクリート製の駆体壁８ａの内側に空気層８ｂを介して断熱パネル８ｃが設けられた断熱構造とされ、該断熱パネル８ｃの室内面側に板状の熱交換器としてのプレート熱交換器９が取り付けられている。
【００１９】
また、床構成体７ｃは、コンクリートの打設により形成された床スラブ１０ａの上にスタイロフォーム等の防熱材１０ｂが形成され、この防熱材１０ｂ上に押えコンクリート１０ｃが打設されて三層の剛性・断熱構造とされ、該押えコンクリート１０ｃの室内面側にプレート熱交換器９が取り付けられている。即ち、本実施例の試験室７における壁構成体７ａ、天井構成体７ｂ及び床構成体７ｃの各室内面側は、プレート熱交換器９で構成されている。
【００２０】
該プレート熱交換器９は、適宜の大きさ毎にユニット化された複数のプレート熱交換器ユニットで構成されている。この各プレート熱交換器ユニットには、連通した１本のブライン通路が備えられており、この１本のブライン通路における始端と終端に、それぞれブライン入口とブライン出口が形成されている。
【００２１】
前記図１に示すプレート熱交換器９は、複数枚のプレート熱交換器ユニットを敷き並べた構成からなり、各プレート熱交換器ユニットにおけるブライン入口とブライン出口に、ブライン温調装置１１からのブライン往路１１ａとブライン復路１１ｂがそれぞれ連通されている。即ち、図１の例では、１基のブライン温調装置１１にプレート熱交換器９における複数のプレート熱交換器ユニットが並列接続された構成となっている。
【００２２】
次に、上述のように構成された高低温試験室空調方式の作用を説明する。空気調和機３から試験室７内の目標制御温度に対応した調温空気が送気ダクト４及び分岐ダクト４ａを介して試験室７内に送り込まれる。また試験室７内の空気がモータＭで駆動される送風機６により還気ダクト５を介して空気調和機３に吸入され、該空気調和機３で調温されて再び試験室７に送りこまれる。このようにして、試験室７内が目標制御温度に対応した調温空気で温度制御される。
【００２３】
このとき、この空気調和機３からの調温空気による温度制御に加えて、ブライン温調装置１１で前記目標制御温度に調温されたブラインが、プレート熱交換器９における各プレート熱交換器ユニットに並列に供給され、壁構成体７ａ、天井構成体７ｂ及び床構成体７ｃが該プレート熱交換器９で温度制御される。これにより試験室７内の空気、壁構成体７ａ、天井構成体７ｂ、床構成体７ｃ及び室内機器類を含む試験室７内全体が目標制御温度に対応した高低温状態に短時間で設定される。
【００２４】
これを数値例で述べると、試験室７内が例えば４０℃の温度状態のとき、試験室７内全体を４５℃の温度状態にするのに約３０分程度で、この設定変更が完了する。従来の空気調和機３からの調温空気のみによる温度制御では、これと同様の温度状態の設定変更に、前述したように、２時間程度以上かかっていたものである。
【００２５】
そして、目標制御温度に精度よく設定された試験室７内において、供試体である自動車２の駆動輪で図示しないローラを回転させることにより、該自動車２について各種の走行テストが行われる。
【００２６】
また、試験室７内が一定の高低温状態に設定されているとき、一旦、他の高低温状態への設定変更が行われ、その後、再び前記一定の高低温状態へ復帰させる設定変更が行われる場合、前述のように、空気調和機３からの調温空気による温度制御に加えてプレート熱交換器９により壁構成体７ａ、天井構成体７ｂ及び床構成体７ｃの温度制御が行われることで、再設定前の温度条件、即ち前記他の高低温状態の設定温度に殆ど左右されることなく、短時間で元の一定の高低温状態に再現性よく設定変更が行われる。
【００２７】
なお、図１に示した構成例では、壁構成体７ａ、天井構成体７ｂ及び床構成体７ｃの全室内面側がプレート熱交換器９で構成されているが、該プレート熱交換器９は、壁構成体７ａ、天井構成体７ｂ及び床構成体７ｃを含む全構成体の少なくとも一部の室内面側の構成として、該構成体を温度制御することで、試験室７内全体を従来よりも短時間で目標制御温度に設定し得る作用・効果が生じる。
【００２８】
上述したように、本実施例に係る高低温試験室空調方式においては、空気調和機３からの調温空気による温度制御に加えて、プレート熱交換器９による壁構成体７ａ、天井構成体７ｂ及び床構成体７ｃの温度制御が行われることで、試験室７内の空気、壁構成体７ａ、天井構成体７ｂ、床構成体７ｃ及び室内機器類を含む試験室７内全体を目標制御温度に対応した高低温状態に短時間で精度よく設定することができる。
【００２９】
ブライン温調装置１１で前記目標制御温度に調温されたブラインが、プレート熱交換器９における各プレート熱交換器ユニットに並列に供給されることで、壁構成体７ａ、天井構成体７ｂ及び床構成体７ｃを短時間で目標制御温度に温度制御することができる。
【００３０】
一定の高低温状態への再設定を、該再設定前の温度条件に殆ど左右されることなく、短時間で再現性よく行うことができる。
【００３１】
なお、プレート熱交換器９の室内面側には、剛性及び良熱伝導性を備えた適宜の板体を取付けて、該板体を壁構成体７ａ、天井構成体７ｂ及び床構成体７ｃの各室内面側の構成体としてもよい。
【００３２】
また、本発明は、本発明の精神を逸脱しない限り種々の改変をなすことができ、そして、本発明が該改変されたものにも及ぶことは当然である。
【図面の簡単な説明】
【００３３】
【図１】本発明の実施例に係る高低温試験室空調方式の縦断正面図。
【図２】従来の高低温試験室空調方式の縦断正面図。
【符号の説明】
【００３４】
１    試験室
１ａ  壁板
１ｂ  天井板
１ｃ  床板
２    供試体としての自動車
３    空気調和機
４    送気ダクト
５    還気ダクト
６    送風機
７    試験室
７ａ  壁構成体
７ｂ  天井構成体
７ｃ  床構成体
８ａ  駆体壁
８ｂ  空気層
８ｃ  断熱パネル
９    プレート熱交換器（板状の熱交換器）
１０ａ  床スラブ
１０ｂ  防熱材
１０ｃ  押えコンクリート
１１    ブライン温調装置
【図１】
2008286467.tif 000003
【図２】
2008286467.tif 000004